(57)【特許請求の範囲】
【請求項１】
ミシンの下方の運動機構を内蔵するベッド部に針板を着脱する針板着脱機構であって、
針板とベッド部に設けられて互いに嵌合し、針板をベッド部の固定位置に案内する案内手段と、
針板に設けられた係合部とベッド部に設けられた被係合部とを有し、針板をベッド部の固定位置に押圧移動することによって、係合部と被係合部が係合し、固定状態を維持する固定手段と、
ベッド部に設けられ、針板を下方から押圧して係合部と被係合部の係合を解除するとともに、針板を上方の開放位置へ移動させる開放手段とを備え、
固定手段の係合部は、針板の下部に設けられた湾曲部を有する係合ばね板であり、被係合部は、ベッド部上部に立ち上げられた係合立壁であり、係合立壁には、係合ばね板の湾曲部が嵌入する切り欠き部が設けられていることを特徴とする針板着脱機構。
【請求項２】
固定手段は、針板の一端部をベッド部の固定位置に保持する係止手段をさらに備え、
係止手段は、針板の一端部に設けられた固定片と、ベッド部に設けられ、ベッド部の上部固定面との間に固定片の先端部を挟持するとともに針板を所定角度回転可能に保持する受け板とからなることを特徴とする請求項１記載の針板着脱機構。
【請求項３】
係合立壁には上端部にテーパー部が設けられ、針板が固定位置から上方の開放位置に移動したとき、係合ばね板は、テーパー部に支持されて針板の開放状態を維持するように配置されていることを特徴とする請求項１または２記載の針板着脱機構。
【請求項４】
案内手段は、針板に設けられ、針板の下方に向けてすり鉢状に広がるテーパーガイド面を有する位置決め孔と、受け板により保持された固定片の先端部が形成する、針板の仮想回転軸に略垂直な平行面をなす平行ガイド面を有する案内長孔と、ベッド部に設けられ、位置決め孔に嵌合する位置決めピンと、平行ガイド面に摺接し案内長孔に摺動可能に嵌合する案内ピンとからなることを特徴とする請求項２または３に記載の針板着脱機構。
【請求項５】
開放手段は、操作部と、操作部により上下方向に駆動され、針板の下面を突き上げて針板を上方の開放位置へ押し上げる突き上げ棒と、操作部が操作されていないときは、突き上げ棒を針板の下方に押し下げる戻りばねとからなることを特徴とする請求項１〜４のいずれかに記載の針板着脱機構。
【請求項６】
ミシンの下方の運動機構を内蔵するベッド部に針板を着脱する針板着脱機構であって、
針板とベッド部に設けられて互いに嵌合し、針板をベッド部の固定位置に案内する案内手段と、
針板に設けられた係合部とベッド部に設けられた被係合部とを有し、針板をベッド部の固定位置に押圧移動することによって、係合部と被係合部が係合し、固定状態を維持する固定手段と、
ベッド部に設けられ、針板を下方から押圧して係合部と被係合部の係合を解除するとともに、針板を上方の開放位置へ移動させる開放手段とを備え、
開放手段は、操作部と、操作部により上下方向に駆動され、針板の下面を突き上げて針板を上方の開放位置へ押し上げる突き上げ棒と、操作部が操作されていないときは、突き上げ棒を針板の下方に押し下げる戻りばねとからなることを特徴とする針板着脱機構。
【請求項７】
操作部は、ベッド部に回動可能に枢着され、一端に指かけ突部を備えた操作レバーであることを特徴とする請求項５または６記載の針板着脱機構。
【請求項８】
請求項１〜７のいずれかに記載の針板着脱機構を備えたことを特徴とするミシン。
【発明の詳細な説明】
【技術分野】
【０００１】
本発明は、ミシンの針が貫通する針板を機枠のベッド部に着脱する機構に関し、とくに装着された針板を簡単に取り外すことができるとともに、簡単な操作で位置決め固定可能である着脱容易な針板着脱機構および該針板着脱機構を備えたミシンに関する。
【背景技術】
【０００２】
針板を取り付けるミシンのベッド部の下部には、針を駆動する上軸に同期する下軸、および下軸に連動する釜などの針糸補足機構や送り機構が収容されており、これらの運動機構のトラブルへの対処など、ミシンのメンテナンスのために針板を着脱する必要が生じる場合がある。
また、針板は、直線縫い用やジグザグ縫い用など、縫製目的によって異なる針板に交換する場合がある。
【０００３】
このような場合に針板を着脱するに当たっては、針が貫通する針穴を有する針板は、針が落ちる位置に針穴を正確に一致させる必要があるため、ミシンの機枠に対して精密に位置合わせして取り付ける必要がある。
このため、針板とベッド部にそれぞれ位置決めピンと位置決め孔の何れかを設け、この位置決めピンと位置決め孔を嵌合して位置決めした上で、ねじにより針板をベッド部に固定するものが従来からよく知られている（例えば、特許文献１、２参照）。  
【先行技術文献】
【特許文献】
【０００４】
【特許文献１】実公昭５９−１３９８８号公報
【特許文献２】特開２０１０−１５８４５８号公報
【発明の概要】
【発明が解決しようとする課題】
【０００５】
しかしながら、上記特許文献１や特許文献２記載の針板着脱機構のように、ねじで針板をベッド部に取り付けるものでは、ドライバーなどの器具が別途必要であるとともに、ねじの着脱に時間がかかっていた。
また、針板は、針が取り付けられた針棒や、針棒を駆動する上軸を収容しているアーム部の下方に位置しているため、ドライバーなどの器具を操作するスペースが小さく、着脱操作が困難であるという問題があった。
さらに、針板は、ベッド部上面にねじで締めつけられてぴったりと密着しているので、手で取り外す際にベッド部上面から引きはがして取り外すのが困難になることもあった。
【０００６】
本発明は、上記問題を解決することを課題とし、ドライバーなどの別途の器具を必要とせず、装着された針板を簡単に取り外すことができる開放機構を備えるとともに、装着にあたっては簡単な操作で位置決め固定可能である着脱容易な針板着脱機構および該針板着脱機構を備えたミシンを提供することを目的とする。
【課題を解決するための手段】
【０００７】
本発明は、上記の課題を解決するため、針板着脱機構として、ミシンの下方の運動機構を内蔵するベッド部に針板を着脱する針板着脱機構であって、針板とベッド部に設けられて互いに嵌合し、針板をベッド部の固定位置に案内する案内手段と、針板に設けられた係合部とベッド部に設けられた被係合部とを有し、針板をベッド部の固定位置に押圧移動することによって、係合部と被係合部が係合し、固定状態を維持する固定手段と、ベッド部に設けられ、針板を下方から押圧して係合部と被係合部の係合を解除するとともに、針板を上方の開放位置へ移動させる開放手段とを備え、固定手段の係合部は、針板の下部に設けられた湾曲部を有する係合ばね板であり、被係合部は、ベッド部上部に立ち上げられた係合立壁であり、係合立壁には、係合ばね板の湾曲部が嵌入する切り欠き部が設けられていることを特徴とする構成を採用する。
【０００８】
本発明の針板着脱機構の実施形態として、固定手段は、針板の一端部をベッド部の固定位置に保持する係止手段をさらに備え、係止手段は、針板の一端部に設けられた固定片と、ベッド部に設けられ、ベッド部の上部固定面との間に固定片の先端部を挟持するとともに針板を所定角度回転可能に保持する受け板とからなることを特徴とする構成を採用する。
【０００９】
本発明の針板着脱機構の具体的実施形態として、係合立壁には上端部にテーパー部が設けられ、針板が固定位置から上方の開放位置に移動したとき、係合ばね板は、テーパー部に支持されて針板の開放状態を維持するように配置されていることを特徴とする構成を採用する。
【００１０】
本発明の針板着脱機構の別の具体的実施形態として、案内手段は、針板に設けられ、針板の下方に向けてすり鉢状に広がるテーパーガイド面を有する位置決め孔と、受け板により保持された固定片の先端部が形成する、針板の仮想回転軸に略垂直な平行面をなす平行ガイド面を有する案内長孔と、ベッド部に設けられ、位置決め孔に嵌合する位置決めピンと、平行ガイド面に摺接し案内長孔に摺動可能に嵌合する案内ピンとからなることを特徴とする構成、また、開放手段は、操作部と、操作部により上下方向に駆動され、針板の下面を突き上げて針板を上方の開放位置へ押し上げる突き上げ棒と、操作部が操作されていないときは、突き上げ棒を針板の下方に押し下げる戻りばねとからなることを特徴とする構成を採用する。
また、本発明の針板着脱機構として、ミシンの下方の運動機構を内蔵するベッド部に針板を着脱する針板着脱機構であって、針板とベッド部に設けられて互いに嵌合し、針板をベッド部の固定位置に案内する案内手段と、針板に設けられた係合部とベッド部に設けられた被係合部とを有し、針板をベッド部の固定位置に押圧移動することによって、係合部と被係合部が係合し、固定状態を維持する固定手段と、ベッド部に設けられ、針板を下方から押圧して係合部と被係合部の係合を解除するとともに、針板を上方の開放位置へ移動させる開放手段とを備え、開放手段は、操作部と、操作部により上下方向に駆動され、針板の下面を突き上げて針板を上方の開放位置へ押し上げる突き上げ棒と、操作部が操作されていないときは、突き上げ棒を針板の下方に押し下げる戻りばねとからなることを特徴とする構成を採用し、操作部は、ベッド部に回動可能に枢着され、一端に指かけ突部を備えた操作レバーであることを特徴とする構成を採用する。
さらに、本発明のミシンとして、前記針板着脱機構を備えたことを特徴とする構成を採用する。
【００１１】
本発明の針板着脱機構は、針板をベッド部に押圧するだけで、案内手段が針板をベッドの固定位置へ案内し、固定手段の係合部である係合ばね板の湾曲部が被係合部である係合立壁の切り欠き部に嵌入して、その弾性力により針板の固定状態を維持するので、ドライバーなどの別途の器具を必要とせず、簡単な操作で装着できるとともに、針板を取り外す際には、開放手段によって、操作部が戻りばねの弾性力に抗して突き上げ棒を針板の下面から突き上げて固定手段の係合を解除するとともに、針板を上方の開放位置へ移動させるので、ベッド部から針板を容易に取り外すことができる。
【００１２】
また、固定手段が、針板の一端部をベッドの固定位置に回転可能に保持する係止手段をさらに備え、案内手段が、平行ガイド面を有する長孔内を摺動する案内ピンとテーパーガイド面を有する位置決め孔に嵌合する位置決めピンからなり、針板が回動しながら固定位置に案内されるようにした実施形態では、針板の一端部を係止手段に保持して回転させるだけで精密な位置決めを行うことができ、さらに簡単な操作で針板を装着することができる。
さらに、係合ばね板が係合立壁のテーパー部に支持されて針板の開放状態を維持するように配置されている実施形態では、開放手段の操作を終了させても針板が上方の開放位置に保持されるので、針板の固定面からの取り外しを一層容易に行うことができる。
【図面の簡単な説明】
【００１３】
【図１】本発明のミシンの全体斜視図である。
【図２】本発明のミシンのフリーアーム部の斜視図である。
【図３】本発明のミシンのトップカバーを除去したフリーアーム部の分解斜視図である。
【図４】針板の一端部が嵌入する受け板付近を示す上面図［図６（ａ）の要部Ａの上面図］である。
【図５】（ａ）は、本発明のミシンの針板の下面（裏面）図であり、（ｂ）は、図（ａ）のＧ−Ｇ線断面図である。
【図６】（ａ）は、本発明のミシンの針板をベッド部に装着する際の状態、およびベッド部から開放した状態を示す一部を破断した正面図であり、（ｂ）は、図（ａ）の要部Ｂの拡大図である。
【図７】針板の一端部が嵌入する受け板付近を示す正面断面図［図６（ａ）の要部Ａの断面拡大図］である。
【図８】（ａ）は、本発明のミシンの針板をベッド部に装着固定した状態を示す一部を破断した正面図であり、（ｂ）は、図（ａ）の要部Ｃの拡大図である。
【図９】本発明のミシンの針板が装着固定された状態における操作レバー付近におけるフリーアーム部の断面側面図。
【図１０】本発明のミシンの針板が上方に開放された状態における操作レバー付近におけるフリーアーム部の断面側面図。
【発明を実施するための形態】
【００１４】
次に、本発明の針板着脱機構および該針板着脱機構を備えたミシンについて、実施例を示した図面を参照して説明する。
【実施例】
【００１５】
図１、２において、１は針板着脱機構を備えたミシンＭの上部フレームで、脚柱部２と、脚柱部２から左方に延びるアーム部３からなる。
４はベッド部であり、５はベッド基部６から筒状に延びるフリーアーム部、７はフリーアーム部５の上部開口を覆うトップカバー、８は針板である。
フリーアーム部５内には、図示しない下軸運動機構が収容されており、上部フレーム１のアーム部３内に収容される同じく図示しない上軸運動機構によって針棒９が上下方向に駆動され、針棒９の先端に設けられた針が針板８の針穴に挿通駆動されつつ被縫製物が送り機構によって送られて縫製作業が行われるようになっていることは、周知のミシンの機構と同様である。
【００１６】
図１〜３に示すように、ベッド部４のフリ−アーム部５の下部には、針板８の下面を押し上げる突き上げ棒１１を操作する操作レバー１０が設けられている。
フリーアーム部５の上部には、針板８を装着固定するための受け板１２ａ，１２ｂ、係合立壁１３ａ，１３ｂ、針板８を装着する際に位置決めを行うための案内ピン１５，位置決めピン１６などが配置され、それぞれ上部支持壁１７によって支持されている。
【００１７】
図４，５に示すように、受け板１２ａ，１２ｂは、それぞれねじ１８ａ，１８ｂにより上部支持壁１７上面に固定されており、針板８を装着する際には、針板８の一端面から突出して設けられた固定片２２ａ，２２ｂを固定位置に保持できるようになっている。
図７に示すように、受け板１２ａ，１２ｂには、上方に所定角度傾斜して立ち上がった押さえ片１９ａ，１９ｂが設けられ、押さえ片１９ａ，１９ｂと上部支持壁１７の上面との間に、固定片２２ａ，２２ｂがそれぞれ嵌挿され、挟持される。
一方の受け板１２ｂは、押さえ片１９ｂの両側に、固定片２２ｂよりわずかに広い間隔をもって対向する挿入ガイド面２１を有する導入部２０が設けられており、固定片２２ｂを嵌挿位置へ案内して、針板８をベッド部４に装着するための最初の位置決めの機能をも担う。
【００１８】
針板８には、固定片２２ａ，２２ｂが設けられた一端部側から比較的近い位置に案内長孔２４が設けられ、該一端部から比較的遠い位置に位置決め孔２５が設けられている。
案内長孔２４は平行ガイド面２３を有し、針板８の装着時には、案内ピン１５が嵌合して、平行ガイド面２３に摺接しながら案内長孔２４内を摺動可能になっている。
位置決め孔２５は、図５（ｂ）に示すように、針板８の下方に向けてすり鉢状に広がるテーパーガイド面２６を有し、針板８の装着時には、位置決めピン１６が、まずテーパーガイド面２６に接して位置決め孔２５の中心に向けて案内され、位置決め孔２５に完全に嵌合すると最終的な位置決めが完了するようになっている。
【００１９】
図６，８に示すように、針板８の下面に取り付けられた係合ばね板２７ａ，２７ｂは、湾曲部２８ａ，２８ｂを有して下方に垂設されている。
図８（ｂ）に示すように、針板８の装着時には、係合ばね板２７ａ，２７ｂの湾曲部２８ａ，２８ｂがそれぞれ係合立壁１３ａ，１３ｂの切り欠き部３１ａ，３１ｂに係合して、その弾性力により針板８の固定状態を維持するようになっている。
切り欠き部３１ａ，３１ｂは、本実施例では係合立壁１３ａ，１３ｂを貫通する孔になっているが、必ずしも貫通孔である必要はなく、湾曲部２８ａ，２８ｂが嵌入して弾性力により係合可能であれば、切り欠かれた凹部等であってもよい。
また、図６（ｂ）に示すように、係合立壁１３ａ，１３ｂの上端部にそれぞれテーパー部３０ａ，３０ｂが設けられ、針板８の装着時に針板８を押し下げていく際には、係合ばね板２７ａ，２７ｂの湾曲部２８ａ，２８ｂまたは先端部２９ａ，２９ｂがそれぞれテーパー部３０ａ，３０ｂに摺接して切り欠き部３１ａ，３１ｂへの係合を容易にするとともに、針板８が係合から開放された時には、係合ばね板２７ａ，２７ｂの湾曲部２８ａ，２８ｂまたは先端部２９ａ，２９ｂがそれぞれテーパー部３０ａ，３０ｂに支持されて、針板８の開放状態を維持するようになっている。
【００２０】
図９，１０に示すように、ベッド部４のフリーアーム部５の下部には、底壁４０にフリーアーム部５の軸方向に一致して設けられた枢軸３２により、操作レバー１０が枢動可能に取り付けられている。
操作レバー１０は、枢軸３２より手前側の端部には操作者が指をかけて手前下方に押し下げるための指かけ突部３３が設けられ、指かけ突部３３と反対側の枢軸３２より後方側には、突き上げ棒１１の下端部３５に接して突き上げ棒１１を上下動させる当接部３４が設けられている。
突き上げ棒１１は、一端をフリーアーム部５の下部支持壁３６に支持された戻りばね３７によって下方に押圧され、常に操作レバー１０の当接部３４に接するようになっている。
【００２１】
次に、本実施例の使用態様と作用効果について説明する。
針板８をベッド部４に装着するためには、まず針板８の一端部に設けられた固定片２２ａ，２２ｂの先端を、受け板１２ａ，１２ｂの手前から上部支持壁１７の上面に摺接させ、一方の固定片２２ｂを同じく一方の受け板１２ｂに設けられた導入部２０の挿入ガイド面２１に沿ってスライドさせて、図７に示すように、押さえ片１９ｂと上部支持壁１７の上面が形成する上部固定面との間に嵌入させる。
【００２２】
挿入ガイド面２１は、固定片２２ｂの幅よりもわずかに大きな間隔を有して対向しており、固定片２２ａ，２２ｂの先端を固定位置に案内して、針板８の一端を位置決めする最初の位置決め機能を果たす。
挿入ガイド面２１を有する導入部２０は、もう一方の受け板１２ａにも設けることができるが、正確に嵌入することが求められる導入部２０を２個所設けることは操作性が必ずしも良くなく、コスト面からいっても受け板１２ａ，１２ｂのいずれか一方に設ける方が好ましい。
【００２３】
押さえ片１９ａ，１９ｂは、所定角度上方に立ち上った傾斜面を形成しており、上部支持壁１７の上面との間に嵌入した固定片２２ａ，２２ｂを、その先端により形成される仮想回転軸を中心に所定角度回転可能に保持する。
固定片２２ａ，２２ｂの先端により形成される当該仮想回転軸は、挿入ガイド面２１および押さえ片１９ａ，１９ｂにより、ほぼ固定位置の一端部に一致しているから、図６（ａ）の矢印Ｅに示すように、上方から針板８をベッド部４の上部に押し付けるように押し下げていくと、まず針板８の固定片２２ａ，２２ｂ側から比較的近くに設けられた案内長孔２４に案内ピン１５を容易に嵌合することができる。
【００２４】
針板８をさらに押し下げていくと、固定片２２ａ，２２ｂ側から比較的遠くに設けられた位置決め孔２５のテーパーガイド面２６に位置決めピン１６の先端が当接する。
この状態からさらに針板８を押し下げていくと、位置決めピン１６が位置決め孔２５の中心に合致するように、テーパーガイド面２６との接点の軌跡に対応して針板８が移動する。
このとき、案内長孔２４には、前記仮想回転軸に略垂直な平行ガイド面２３が形成されているので、位置決めピン１６が位置決め孔２５に嵌合していくにともなって位置決めされる針板８の移動に従い、案内ピン１５は案内長孔２４の平行ガイド面２３に沿って摺動し、針板８を正確な固定位置に案内する。
【００２５】
このように、案内長孔２４と位置決め孔２５は、それぞれ案内ピン１５と位置決めピン１６とに嵌合し、互いに連携することによって最終的な位置決めを遂行するから、前記仮想回転軸に平行な方向に互いに離隔されていた方がよく、仮想回転軸に垂直な同一線上には配置されない方がよい。
また、この針板８を押し下げていく過程で、図６（ｂ）に示すように、針板８の下部に設けられた係合ばね板２７ａ，２７ｂの先端部２９ａ，２９ｂが係合立壁１３ａ、１３ｂの上端部に形成されたテーパー部３０ａ，３０ｂに当接し、さらに針板８が押し下げられていくと、係合ばね板２７ａ，２７ｂは、弾性変形しながらテーパー部３０ａ，３０ｂに摺接してさらに下方へと移動していく。
【００２６】
テーパーガイド面２６によって、位置決め孔２５の中心が位置決めピン１６の中心に合致するところまで針板８が移動すると、位置決め孔２５は位置決めピン１６に完全に嵌合し、針板８は位置決めを完了してベッド部４の固定面に装着される。
このとき、係合ばね板２７ａ，２７ｂの湾曲部２８ａ，２８ｂが係合立壁１３ａ、１３ｂの切り欠き部３１ａ，３１ｂに嵌入して、その弾性力により位置決め装着された針板８をベッド４の固定位置に保持することができる。
【００２７】
このように、本実施例では、針板８をベッド部４に取り付けるにあたって、針板８の一端部を受け板１２ａ，１２ｂに差し込み、上方から押し下げるだけで位置決めして装着固定することができ、取り付け操作を極めて容易に行うことができる。
【００２８】
次に、装着固定されている針板８の係合を解除して上方の開放位置へ移動させ、針板８をベッド４から取り外す操作について説明する。
図９に示すように、枢軸３２によってベッド部４の下部に取り付けられている操作レバー１０は、針板８が固定位置に装着されている非操作状態では、枢軸３２に関して一方の端部付近に配置された当接部３４が、戻りばね３７によって下方に押圧されている突き上げ棒１１の下端部３５によって押し下げられ、枢軸３２に関して他方の端部に設けられた指かけ突部３３は、ベッド部４の底壁４０の外周に沿って収容されている。
【００２９】
針板８を取り外すには、図１０に示すように、操作レバー１０の指かけ突部３３に指をかけて下方に引くと、枢軸３２を中心として操作レバー１０が回転し、当接部３４がベッド部４の内部に上昇し、戻りばね３７の弾性力に抗して突き上げ棒１１の下端部３５を押し上げる。
突き上げ棒１１が上方に駆動され、その上端が針板８の下面に当接して、針板８に働く押し上げ力が係合ばね板２７ａ，２７ｂの弾性力に打ち勝つと、針板８は、受け板１２ａ，１２ｂによって保持されている固定片２２ａ，２２ｂ先端の前記仮想回転軸まわりに上方へ回転を始め、係合ばね板２７ａ，２７ｂの湾曲部２８ａ，２８ｂは切り欠き部３１ａ，３１ｂから離脱して、係合が解除されていく。
【００３０】
さらに操作レバー１０を引き、突き上げ棒１１が針板８を押し上げていくと、図６（ａ）に示すように、係合ばね板２７ａ，２７ｂが係合立壁１３ａ，１３ｂから完全に離れて、針板８は開放位置まで上方に押し上げられ装着前の状態に戻る。
その後、操作レバー１０から手を離して突き上げ棒１１が非操作位置まで下がっても、図６（ｂ）に示すように、係合ばね板２７ａ，２７ｂは元の形状に復元して、その先端部２９ａ，２９ｂが係合立壁１３ａ，１３ｂのテーパー部３０ａ，３０ｂに乗り上げた状態で保持されるので、針板８が固定位置に戻ってベッド部４の固定面に貼り付いたりすることがなく、手で容易に取り外すことができる。
【００３１】
このように、本実施例では、針板８をベッド部４から取り外すにあたって、別途の器具を必要とせず、操作レバー１０を手動で操作するだけで針板８を開放するとともに、操作レバー１０から手を離しても開放状態を維持することができ、取り外し操作を容易に行うことができる。
以上のとおり、本実施例の針板着脱機構および該針板着脱機構を備えたミシンは、針板８の一端部を受け板１２ａ，１２ｂに差し込み、上方から押し下げるだけで位置決めして装着固定することができ、操作レバー１０を手動で操作するだけで針板８を開放することができるので、針板８の着脱を極めて容易に行うことができるものである。
【００３２】
なお、本実施例では、ベッド部４のフリーアーム部５に針板８を取り付けているが、本発明は、このようなフリーアーム部を有するミシンに限定されることはなく、種々の形態のベッド部を有するミシンに適用することができることはもちろんである。
また、本実施例の受け板１２ａ，１２ｂおよび固定片２２ａ，２２ｂが構成する係止手段は、針板８の装着時および脱着時の位置を案内・保持して効率的な操作を可能とするものであるが、本発明には必ずしも必要ではなく、固定手段も、本実施例の係合ばね板２７ａ，２７ｂと切り欠き部３１ａ，３１ｂによる係合形態に限定されず、針板８を押し下げるだけで固定し、針板８を押し上げるだけで開放することができるものであれば、種々の公知の係合形態を用いることが可能である。
【産業上の利用可能性】
【００３３】
本発明の針板着脱機構および該針板着脱機構を備えたミシンは、装着された針板を簡単に取り外すことができるとともに、簡単な操作で位置決めし装着固定することができるので、針板の交換や下軸運動機構の保守などを効率的に行うことができ、種々のミシンに広く適用して有利なものである。
【符号の説明】
【００３４】
Ｍ            ミシン
１            上部フレーム
２            脚柱部
３            アーム部
４            ベッド部
５            フリーアーム部
６            ベッド基部
７            トップカバー
８            針板
９            針棒
１０            操作レバー
１１            突き上げ棒
１２ａ，１２ｂ  受け板
１３ａ，１３ｂ  係合立壁
１５            案内ピン
１６            位置決めピン
１７            上部支持壁
１８ａ，１８ｂ  ねじ
１９ａ，１９ｂ  押さえ片
２０            導入部
２１            挿入ガイド面
２２ａ，２２ｂ  固定片
２３            平行ガイド面
２４            案内長孔
２５            位置決め孔
２６            テーパーガイド面
２７ａ，２７ｂ  係合ばね板
２８ａ，２８ｂ  湾曲部
２９ａ，２９ｂ  先端部
３０ａ，３０ｂ  テーパー部
３１ａ，３１ｂ  切り欠き部
３２            枢軸
３３            指かけ突部
３４            当接部
３５            下端部
３６            下部支持壁
３７            戻りばね
４０            底壁
【図１】
0005828718.tif 000002
【図２】
0005828718.tif 000003
【図３】
0005828718.tif 000004
【図４】
0005828718.tif 000005
【図５】
0005828718.tif 000006
【図６】
0005828718.tif 000007
【図７】
0005828718.tif 000008
【図８】
0005828718.tif 000009
【図９】
0005828718.tif 000010
【図１０】
0005828718.tif 000011